(57)【要約】【課題】バックアップ用の系統監視盤を用意することなく他のシステムとの相互バックアップを行うことができる電力系統監視制御装置を提供することである。【解決手段】操作卓１５からの系統監視盤１３への出力要求内容としての表示情報を系統監視盤出力設定ファイル２２に保存する系統監視盤出力内容設定手段２３と、他サイトの電力系統監視制御装置のバックアップが必要と判断した場合は系統監視盤出力設定ファイル２２に他サイトバックアップのための系統監視盤出力情報の出力要求内容としての表示情報を設定する相互バックアップ判定手段２１と、系統監視盤出力設定ファイル２２の出力要求内容に従い系統監視盤１３に表示するための系統監視盤出力情報の編集を行う系統監視盤情報出力編集手段２４と、系統監視情報出力編集手段２４で編集された系統監視盤出力情報を系統監視盤に表示要求する系統監視盤出力手段２５とを備える。【選択図】  図１
2011024289.tif 000002
【特許請求の範囲】
【請求項１】
電力系統の監視制御情報を表示する表示装置を有した系統監視盤と、前記系統監視盤に出力する系統監視盤出力情報の出力要求内容を設定するための系統監視盤出力設定ファイルを有し前記電力系統の系統情報を入力して前記系統監視盤出力設定ファイルを参照して系統監視盤出力情報を作成する計算機と、前記計算機の系統監視盤出力設定ファイルに前記系統監視盤への出力要求内容を設定するための操作卓とを備えた電力系統監視制御装置において、前記操作卓からの前記系統監視盤への出力要求内容として表示位置、表示内容、表示優先度を含む表示情報を前記系統監視盤出力設定ファイルに保存する系統監視盤出力内容設定手段と、他サイトの電力系統監視制御装置のバックアップが必要と判断した場合は前記系統監視盤出力設定ファイルに他サイトバックアップのための系統監視盤出力情報の出力要求内容として表示位置、表示内容、表示優先度を含む表示情報を設定する相互バックアップ判定手段と、前記系統監視盤出力設定ファイルの出力要求内容に従い前記系統監視盤に表示するための系統監視盤出力情報の編集を行う系統監視盤情報出力編集手段と、前記系統監視情報出力編集手段で編集された系統監視盤出力情報を前記系統監視盤に表示要求する系統監視盤出力手段とを備えたことを特徴とする電力系統監視制御装置。
【請求項２】
前記他サイトバックアップのための系統監視盤出力情報の出力要求内容で指定された表示優先度と自己の系統監視盤出力情報の表示優先度とが同じであるとき、前記他サイトバックアップのための系統監視盤出力情報の出力要求内容で指定された表示位置における自己の系統監視盤出力情報の表示情報量を判定する系統監視盤出力情報量判定手段を有し、前記系統監視盤情報出力編集手段は、前記系統監視盤の自己の系統監視盤出力情報の表示情報量が最も少ない表示位置に前記他サイトバックアップのための系統監視盤出力情報を縮小表示するように編集することを特徴とする請求項１記載の電力系統監視制御装置。
【請求項３】
前記他サイトバックアップのための系統監視盤出力情報の出力要求内容で指定された表示優先度と自己の系統監視盤出力情報の表示優先度とが同じであるとき、前記他サイトバックアップのための系統監視盤出力情報の出力要求内容で指定された表示位置における自己の系統監視盤出力情報に事故情報が含まれるか否かを判定する系統監視盤事故情報判定手段を有し、前記系統監視盤情報出力編集手段は、前記系統監視盤の自己の系統監視盤出力情報に事故情報が含まれない表示位置に前記他サイトバックアップのための系統監視盤出力情報を縮小表示するように編集することを特徴とする請求項１記載の電力系統監視制御装置。
【請求項４】
前記電力系統の事故情報を格納した事故統計情報ファイルを有し、前記系統監視盤情報出力編集手段は、前記他サイトバックアップのための系統監視盤出力情報の出力要求内容で指定された表示優先度と自己の系統監視盤出力情報の表示優先度とが同じであるとき、前記事故統計情報ファイルを参照し前記系統監視盤の自己の系統監視盤出力情報の中で事故が発生する頻度が最も少ない表示位置に前記他サイトバックアップのための系統監視盤出力情報を縮小表示するように編集することを特徴とする請求項１記載の電力系統監視制御装置。
【請求項５】
前記他サイトバックアップのための系統監視盤出力情報の出力要求内容で指定された表示位置と自己の系統監視盤出力情報の表示位置とが重複しているか否かを判定し重複しているときはタブ情報を出力するタブ情報出力判定手段を有し、前記系統監視盤情報出力編集手段は、前記重複する表示位置に前記系統監視盤の自己の系統監視盤出力情報及び前記タブ情報を表示するように編集し、前記系統監視盤出力手段は、前記操作卓からのタブ情報の切り替えにより前記他サイトバックアップのための系統監視盤出力情報と自己の系統監視盤出力情報とを切り替えて表示することを特徴とする請求項１記載の電力系統監視制御装置。
【発明の詳細な説明】
【技術分野】
【０００１】
本発明は、電力系統の系統情報に基づいて系統監視盤に監視制御情報を表示し、電力系統を監視制御する電力系統監視制御装置に関する。
【背景技術】
【０００２】
一般に、電力系統監視制御装置は電力系統の系統情報を系統監視盤に表示出力して監視制御情報を行うようにしている。このような系統監視盤を有した電力系統監視制御装置においては、他のシステムと相互バックアップを行う場合には、予めバックアップ用の系統監視盤を用意して対応している。
【０００３】
電力系統監視制御装置をバックアップ方式として、訓練用に用意した系統表示盤を、運用系の系統監視盤故障時に利用するようにしたものがある（例えば特許文献１参照）。また、複数の電力系統監視制御装置がネットワーク上に存在しているとき、たとえ１つあるいは２つ以上の電力系統監視制御装置内の電子計算機が全て停止したとしても、その他の電力系統監視装置内の各装置が運用可能な状態であれば継続可能としたものがある（例えば、特許文献２参照）。
【先行技術文献】
【特許文献】
【０００４】
【特許文献１】特開２００８−８６０７４号公報
【特許文献２】特開２００１−３２０８４１号公報
【発明の概要】
【発明が解決しようとする課題】
【０００５】
しかし、従来の電力系統監視制御装置の系統監視盤においては、系統監視盤の表示機能がシステム特有の装置として作成されているので、予めバックアップ用の系統監視盤を用意する必要がある。
【０００６】
本発明の目的は、バックアップ用の系統監視盤を用意することなく他のシステムとの相互バックアップを行うことができる電力系統監視制御装置を提供することである。
【課題を解決するための手段】
【０００７】
本発明に係わる電力系統監視制御装置は、電力系統の監視制御情報を表示する表示装置を有した系統監視盤と、前記系統監視盤に出力する系統監視盤出力情報の出力要求内容を設定するための系統監視盤出力設定ファイルを有し前記電力系統の系統情報を入力して前記系統監視盤出力設定ファイルを参照して系統監視盤出力情報を作成する計算機と、前記計算機の系統監視盤出力設定ファイルに前記系統監視盤への出力要求内容を設定するための操作卓とを備えた電力系統監視制御装置において、前記操作卓からの前記系統監視盤への出力要求内容として表示位置、表示内容、表示優先度を含む表示情報を前記系統監視盤出力設定ファイルに保存する系統監視盤出力内容設定手段と、他サイトの電力系統監視制御装置のバックアップが必要と判断した場合は前記系統監視盤出力設定ファイルに他サイトバックアップのための系統監視盤出力情報の出力要求内容として表示位置、表示内容、表示優先度を含む表示情報を設定する相互バックアップ判定手段と、前記系統監視盤出力設定ファイルの出力要求内容に従い前記系統監視盤に表示するための系統監視盤出力情報の編集を行う系統監視盤情報出力編集手段と、前記系統監視情報出力編集手段で編集された系統監視盤出力情報を前記系統監視盤に表示要求する系統監視盤出力手段とを備えたことを特徴とする。
【発明の効果】
【０００８】
本発明によれば、バックアップ用の系統監視盤を用意することなく他のシステムとの相互バックアップを行うことができる。
【図面の簡単な説明】
【０００９】
【図１】本発明の第１の実施の形態に係わる電力系統監視制御装置のブロック構成図。
【図２】本発明の第１の実施の形態における系統監視盤出力設定ファイルの一例の説明図。
【図３】本発明の第１の実施の形態における系統監視盤出力設定ファイルの一例を示す詳細図。
【図４】本発明の第１の実施の形態における系統監視盤の表示装置への表示イメージ図。
【図５】本発明の第２の実施の形態に係わる電力系統監視制御装置のブロック構成図。
【図６】本発明の第２の実施の形態における系統監視盤出力設定ファイルの一例の説明図。
【図７】本発明の第２の実施の形態における系統監視盤出力設定ファイルの一例を示す詳細図。
【図８】本発明の第２の実施の形態における系統監視盤の表示装置への表示イメージ図。
【図９】本発明の第３の実施の形態に係わる電力系統監視制御装置のブロック構成図。
【図１０】本発明の第３の実施の形態における系統監視盤出力設定ファイルの一例を示す詳細図。
【図１１】本発明の第３の実施の形態における系統監視盤の表示装置への表示イメージ図。
【図１２】本発明の第４の実施の形態に係わる電力系統監視制御装置のブロック構成図。
【図１３】本発明の第４の実施の形態における系統監視盤出力設定ファイルの一例を示す詳細図。
【図１４】本発明の第４の実施の形態における系統監視盤の表示装置への表示イメージ図。
【図１５】本発明の第５の実施の形態に係わる電力系統監視制御装置のブロック構成図。
【図１６】本発明の第５の実施の形態における系統監視盤出力設定ファイルの一例の説明図。
【図１７】本発明の第５の実施の形態における系統監視盤出力設定ファイルの一例を示す詳細図。
【図１８】本発明の第５の実施の形態における系統監視盤の表示装置への表示イメージ図。
【発明を実施するための形態】
【００１０】
以下、本発明に係わる電力系統監視制御装置の実施の形態を説明する。図１は、本発明の第１の実施の形態に係わる電力系統監視制御装置のブロック構成図である。電力系統の系統情報はＷＡＮ１１を介して各々のサイトに設置された電力系統監視装置１２ａ、１２ｂに入力される。図１では２つのサイトの場合を示しており、各々の電力系統監視装置１２ａ、１２ｂは同一構成であるので、電力系統監視装置１２ａについて説明する。
【００１１】
電力系統監視装置１２ａは、電力系統の監視制御情報を表示する表示装置を有した系統監視盤１３と、系統監視盤１３に出力する系統監視盤出力情報を作成する計算機１４と、計算機１４に操作指令を与える操作卓１５と、計算機１４と系統監視盤１３及び計算機１４と操作卓１５とを接続するＬＡＮ１６とから構成される。
【００１２】
計算機１４は、自己が管轄する電力系統の系統設備情報や接続情報、及びバックアップする電力系統監視制御装置１２ｂが管轄する電力系統の系統設備情報や接続情報を予め保存するデータベース１７を有する。電力系統からの系統情報は、ＷＡＮ１１を介して情報伝送手段１８で系統情報入力手段１９に入力され、系統状態ファイル２０に格納される。一方、他サイトの電力系統監視制御装置１２ｂのシステム運用状態は、ＷＡＮ１１を介して情報伝送手段１８で相互バックアップ判定手段２１に入力される。相互バックアップ判定手段２１は、他サイトの電力系統監視制御装置１２ｂのシステム運用状態を監視し、他サイトの電力系統監視制御装置１２ｂがバックアップ必要と判断した場合は、系統監視盤出力設定ファイル２２に他サイトバックアップのための系統監視盤出力情報の出力要求内容を設定する。
【００１３】
一方、系統監視盤出力設定ファイル２２には、操作卓１５から系統監視出力内容設定手段２３を介して自己の電力系統監視制御装置１２ａの系統監視盤出力要求内容が設定される。系統監視盤出力内容設定手段２３は操作卓１５で設定された系統監視盤１３への出力要求内容を系統監視盤出力設定ファイル２２に保存するものである。系統監視盤情報出力編集手段２４は、系統監視盤出力設定ファイル２２の内容に従い系統監視盤出力情報の編集を行い、系統監視盤出力手段２５は、系統監視情報出力編集手段２４で編集された系統監視盤出力情報を系統監視盤１３に表示要求し、系統監視盤１３の表示装置に表示する。
【００１４】
図２は第１の実施の形態における系統監視盤出力設定ファイル２２の一例の説明図である。系統監視盤出力設定ファイル２２は、系統監視盤１３への出力要求内容として、表示位置、表示内容、表示優先度を含む表示情報で形成されている。図３は第１の実施の形態における系統監視盤出力設定ファイル２２の一例を示す詳細図である。表示情報１は、表示位置が表示位置１であり、表示内容はサイト１系統情報、表示優先度は「１」である。表示情報２は、表示位置が表示位置２であり、表示内容はサイト１システム構成情報、表示優先度は「２０」である。表示情報３は、表示位置が表示位置２であり、表示内容はサイト２系統情報、表示優先度は「１０」である。
【００１５】
この系統監視盤出力設定ファイル２２のうち、表示情報１、２はサイト１に関する表示情報であり、自己の操作卓１５から予め設定された表示情報である。一方、表示情報３はサイト２に関する表示情報であり、相互バックアップ判定手段２１により設定された表示情報である。
【００１６】
図４は、第１の実施の形態における系統監視盤１３の表示装置への表示イメージ図である。いま、サイト１の系統監視盤出力設定ファイル２２に、表示情報１「表示位置１、表示内容（サイト１系統情報）、表示優先度（１）」、表示情報２「表示位置２、表示内容（サイト１システム構成情報）、表示優先度（２０）」が設定されていたとする。この状態では、図４に示すように、表示位置１には「サイト１系統情報」が表示され、表示位置２には「サイト１システム構成情報」が表示されている。
【００１７】
この状態で、サイト２の電力系統監視制御装置１２ｂの計算機が停止し、サイト１にてサイト２のバックアップ運用を実施する場合を考える。この場合、サイト１の相互バックアップ判定手段２１は、サイト２のバックアップ開始を判定し、系統監視盤出力設定ファイル２２に表示情報３として、表示情報３「表示位置２、表示内容（サイト２系統情報）、表示優先度（１０）」を追加して設定する。
【００１８】
系統監視盤情報出力編集手段２４は、表示位置２に優先度が高い「表示位置２、表示内容（サイト２系統情報）、表示優先度１０）」を自動的に表示するように編集する。これにより、系統監視盤出力手段２５は、図４に示すように、表示位置２には、「サイト１システム構成情報」からそれより優先度が高い「サイト２系統情報」に表示が切り替わる。
【００１９】
本発明の第１の実施の形態によれば、系統監視盤出力設定ファイル２２の表示優先度により、系統監視盤１３の情報を出力できるため、現在運用中の系統監視盤１３の表示装置に、バックアップ対象の系統を自動表示することができる。
【００２０】
次に、本発明の第２の実施の形態にについて説明する。図５は、本発明の第２の実施の形態に係わる電力系統監視制御装置のブロック構成図である。この第２の実施の形態は、図１に示した第１の実施の形態に対し、他サイトバックアップのための系統監視盤出力情報の出力要求内容で指定された表示位置における自己の系統監視盤出力情報の表示情報量を判定する系統監視盤出力情報量判定手段２６を追加して設けたものである。図１と同一要素には同一符号を付し重複する説明は省略する。
【００２１】
系統監視盤出力情報量判定手段２６は、他サイトバックアップのための系統監視盤出力情報の表示優先度と、自己の系統監視盤出力情報の表示優先度とが同じであるとき、他サイトバックアップのための系統監視盤出力情報の表示位置における自己の系統監視盤出力情報の表示情報量を判定する。系統監視盤情報出力編集手段２４は、系統監視盤出力情報量判定手段２６により判定された系統監視盤１３の自己の系統監視盤出力情報の表示情報量が最も少ない表示位置に、他サイトバックアップのための系統監視盤出力情報を縮小表示するように編集する。そして、系統監視盤出力手段２５は、系統監視盤情報出力編集手段２４で編集された系統監視盤出力情報を系統監視盤１３の表示装置に表示する。
【００２２】
図６は、第２の実施の形態における系統監視盤出力設定ファイル２２の一例の説明図である。図２に示した系統監視盤出力設定ファイル２２に対して、表示要求日時が追加されている。すなわち、系統監視盤出力設定ファイル２２は、表示位置情報、表示内容、表示優先度、表示要求日時にて構成されている。
【００２３】
表示要求日時を設けたのは、後述するように、「サイト１システム構成情報」と同じ表示位置に「サイト２系統情報」を重ねて縮小表示する際に、現在表示されている「サイト１システム構成情報」の中で最も表示情報量の少ない表示位置を判定するためである。
【００２４】
図７は、第２の実施の形態における系統監視盤出力設定ファイル２２の一例を示す詳細図である。表示情報１は、表示位置が表示位置１であり、表示内容はサイト１系統情報、表示優先度は「１」、表示要求日時は「１／６  １０：００：００」である。表示情報２は、表示位置が表示位置２であり、表示内容はサイト１システム構成情報、表示優先度は「２０」、表示要求日時は「１／６  １０：００：００」である。表示情報３は、表示位置が表示位置１であり、表示内容はサイト２系統情報、表示優先度は「１」、表示要求日時は「１／６  １１：００：００」である。
【００２５】
この系統監視盤出力設定ファイル２２のうち、表示情報１、２はサイト１に関する表示情報であり、自己の操作卓１５から予め設定された表示情報である。一方、表示情報３はサイト２に関する表示情報であり、相互バックアップ判定手段２１により設定された表示情報である。
【００２６】
図８は、第２の実施の形態における系統監視盤１３の表示装置への表示イメージ図である。いま、サイト１の系統監視盤出力設定ファイル２２に、表示情報１「表示位置１、表示内容（サイト１系統情報）、表示優先度（１）、表示要求日時（１／６  １０：００：００）」、表示情報２「表示位置２、表示内容（サイト１システム構成情報）、表示優先度（２０）、表示要求日時（１／６  １０：００：００）」が設定されていたとする。この状態では、図８に示すように、表示位置１には「サイト１系統情報」が表示され、表示位置２には「サイト１システム構成情報」が表示されている。
【００２７】
そして、サイト２の電力系統監視制御装置１２ｂの計算機が停止し、サイト１にてサイト２のバックアップ運用を実施する場合には、サイト１の相互バックアップ判定手段２１は、サイト２のバックアップ開始を判定し、系統監視盤出力設定ファイル２２に表示情報として、表示情報３「表示位置１、表示内容（サイト２系統情報）、表示優先度（１）、表示要求日時（１／６  １１：００：００）」を追加して設定する。
【００２８】
系統監視盤情報出力編集手段２４は、表示位置１に優先度が同じ２つの表示内容が設定された場合、表示位置１を例えば４等分に分割し、系統監視盤出力情報量判定手段２６で算出された自己の系統監視盤出力情報の表示情報量の表示位置の最も表示情報量の少ない表示位置に、後着要求の「表示位置１、表示内容（サイト２系統情報）、表示優先度（１）」を縮尺表示（例えば４／１縮尺）できるように編集する。これにより、系統監視盤出力手段２５は、図８に示すように、表示位置１に、「サイト１システム構成情報」に重ねて縮小表示により優先度が同じ「サイト２系統情報」を表示する。
【００２９】
第２の実施の形態によれば、系統監視盤出力設定ファイル２２の優先度が同一の場合でも、系統監視盤１３のもっとも情報量が少ない位置に別の情報を出力できるため、現在運用中の系統監視盤１３の表示装置に、バックアップ対象の系統を自動表示することができる。
【００３０】
次に、本発明の第３の実施の形態について説明する。図９は、本発明の第３の実施の形態に係わる電力系統監視制御装置のブロック構成図である。この第３の実施の形態は、図１に示した第１の実施の形態に対し、他サイトバックアップのための系統監視盤出力情報の出力要求内容で指定された表示位置における自己の系統監視盤出力情報に事故情報が含まれるか否かを判定する系統監視盤事故情報判定手段２７を設けたものである。図１と同一要素には同一符号を付し重複する説明は省略する。
【００３１】
系統監視盤事故情報判定手段２７は、他サイトバックアップのための系統監視盤出力情報の表示優先度と、自己の系統監視盤出力情報の表示優先度とが同じであるとき、他サイトバックアップのための系統監視盤出力情報の出力要求内容で指定された表示位置における自己の系統監視盤出力情報に事故情報が含まれるか否かを判定する。系統監視盤情報出力編集手段２４は、系統監視盤１３の自己の系統監視盤出力情報に事故情報が含まれない表示位置に、他サイトバックアップのための系統監視盤出力情報を縮小表示するように編集する。そして、系統監視盤出力手段２５は、系統監視盤情報出力編集手段２４で編集された系統監視盤出力情報を系統監視盤１３の表示装置に表示する。
【００３２】
図１０は、第３の実施の形態における系統監視盤出力設定ファイル２２の一例を示す詳細図である。表示情報１は、表示位置が表示位置１であり、表示内容はサイト１系統情報、表示優先度は「１」、表示要求日時は「１／６  １０：００：００」である。表示情報２は、表示位置が表示位置２であり、表示内容はサイト１システム構成情報、表示優先度は「２０」、表示要求日時は「１／６  １０：００：００」である。表示情報３は、表示位置が表示位置１であり、表示内容はサイト２系統情報、表示優先度は「１」、表示要求日時は「１／６  １１：００：００」である。
【００３３】
この系統監視盤出力設定ファイル２２のうち、表示情報１、２はサイト１に関する表示情報であり、自己の操作卓１５から予め設定された表示情報である。一方、表示情報３はサイト２に関する表示情報であり、相互バックアップ判定手段２１により設定された表示情報である。
【００３４】
図１１は、第３の実施の形態における系統監視盤１３の表示装置への表示イメージ図である。いま、サイト１の系統監視盤出力設定ファイル２２には、表示情報１「表示位置１、表示内容（サイト１系統情報）、表示優先度（１）、表示要求日時（１／６  １０：００：００）」、表示情報２「表示位置２、表示内容（サイト１システム構成情報）、表示優先度（２０）、表示要求日時は（１／６  １０：００：００）」が設定されていたとする。この状態では、図１１に示すように、表示位置１には「サイト１系統情報」が表示され、表示位置２には「サイト１システム構成情報」が表示されている。
【００３５】
そして、サイト２の電力系統監視制御装置１２ｂの計算機が停止し、サイト１にてサイト２のバックアップ運用を実施する場合、サイト１の相互バックアップ判定手段２１は、サイト２のバックアップ開始を判定し、系統監視盤出力設定ファイル２２に表示情報３として、表示情報３「表示位置１、表示内容（サイト２系統情報）、表示優先度（１）、表示要求日時（１／６  １１：００：００）」を設定する。
【００３６】
系統監視盤情報出力編集手段２４は、表示位置１に優先度が同じ２つの表示内容が設定された場合、表示位置１を例えば４等分に分割し、４等分の表示位置より、系統監視盤事故情報判定手段２７で判定された事故が発生していない表示位置に、後着要求の「表示位置１、表示内容（サイト２系統情報）、表示優先度（１）、表示要求日時（１／６  １１：００：００）」を縮尺表示（例えば４／１縮尺）できるように編集する。これにより、系統監視盤出力手段２５は、図１１に示すように、表示位置１に、「サイト１システム構成情報」に重ねて縮小表示により優先度が同じ「サイト２系統情報」を表示する。
【００３７】
第３の実施の形態によれば、系統監視盤出力設定ファイル２２の優先度が同一の場合でも、系統監視盤の系統情報で事故が発生していない位置に別の情報を出力できるため、現在運用中の系統監視盤表示装置に、バックアップ対象の系統を自動表示することができる。
【００３８】
次に、本発明の第４の実施の形態について説明する。図１２は、本発明の第４の実施の形態に係わる電力系統監視制御装置のブロック構成図である。この第４の実施の形態は、図１に示した第１の実施の形態に対し、系統状態ファイル２０より事故情報を入手し事故統計情報ファイル２８に事故情報の統計情報を保存する事故統計手段２９を追加して設けたものである。図１と同一要素には同一符号を付し重複する説明は省略する。
【００３９】
事故統計手段２９は、系統状態ファイル２０より事故情報を入手し事故統計情報ファイル２８に事故情報の統計情報を保存する。系統監視盤情報出力編集手段２４は、他サイトバックアップのための系統監視盤出力情報の表示優先度と、自己の系統監視盤出力情報の表示優先度とが同じであるとき、事故統計情報ファイル２０を参照し、系統監視盤１３の自己の系統監視盤出力情報の中で事故が発生する頻度が最も少ない表示位置に、他サイトバックアップのための系統監視盤出力情報を縮小表示するように編集する。そして、系統監視盤出力手段２５は、系統監視盤情報出力編集手段２４で編集された系統監視盤出力情報を系統監視盤１３の表示装置に表示する。
【００４０】
図１３は、第４の実施の形態における系統監視盤出力設定ファイル２２の一例を示す詳細図である。表示情報１は、表示位置が表示位置１であり、表示内容はサイト１系統情報、表示優先度は「１」、表示要求日時は「１／６  １０：００：００」である。表示情報２は、表示位置が表示位置２であり、表示内容はサイト１システム構成情報、表示優先度は「２０」、表示要求日時は「１／６  １０：００：００」である。表示情報３は、表示位置が表示位置１であり、表示内容はサイト２系統情報、表示優先度は「１」、表示要求日時は「１／６  １１：００：００」である。
【００４１】
この系統監視盤出力設定ファイル２２のうち、表示情報１、２はサイト１に関する表示情報であり、自己の操作卓１５から予め設定された表示情報である。一方、表示情報３はサイト２に関する表示情報であり、相互バックアップ判定手段２１により設定された表示情報である。
【００４２】
図１４は、第４の実施の形態における系統監視盤１３の表示装置への表示イメージ図である。いま、サイト１の系統監視盤出力設定ファイル２２には、表示情報１「表示位置１、表示内容（サイト１系統情報）、表示優先度（１）、表示要求日時（１／６  １０：００：００）」、表示情報２「表示位置２、表示内容（サイト１システム構成情報）、表示優先度（２０）、表示要求日時は（１／６  １０：００：００）」が設定されていたとする。この状態では、図１４に示すように、表示位置１には「サイト１系統情報」が表示され、表示位置２には「サイト１システム構成情報」が表示されている。
【００４３】
そして、サイト２の電力系統監視制御装置１２ｂの計算機が停止し、サイト１にてサイト２のバックアップ運用を実施する場合、サイト１の相互バックアップ判定手段２１は、サイト２のバックアップ開始を判定し、系統監視盤出力設定ファイル２２に表示情報３として、表示情報３「表示位置１、表示内容（サイト２系統情報）、表示優先度（１）、表示要求日時（１／６  １１：００：００）」を設定する。
【００４４】
系統監視盤情報出力編集手段２４は、表示位置１に優先度が同じ２つの表示内容が設定された場合、表示位置１を例えば４等分に分割し、事故統計情報ファイル２８を参照し、４等分の表示位置の中から事故が発生する頻度が最も少ない表示位置に、後着要求の「表示位置１、サイト２系統情報（優先度：１）」を縮尺表示（例えば４／１縮尺）するように編集する。これにより、系統監視盤出力手段２５は、図１１に示すように、表示位置１に、「サイト１システム構成情報」に重ねて縮小表示により優先度が同じ「サイト２系統情報」を表示する。
【００４５】
第４の実施の形態によれば、系統監視盤出力設定ファイル２２の優先度が同一の場合でも、系統監視盤１３に表示した系統情報の中で、事故が発生する可能性の少ない位置に別の情報を出力できるため、現在運用中の系統監視盤表示装置にバックアップ対象の系統を自動表示することができる。
【００４６】
次に、本発明の第５の実施の形態について説明する。図１５は、本発明の第５の実施の形態に係わる電力系統監視制御装置のブロック構成図である。この第５の実施の形態は、図１に示した第１の実施の形態に対し、他サイトバックアップのための系統監視盤出力情報の出力要求内容で指定された表示位置と自己の系統監視盤出力情報の表示位置とが重複しているか否かを判定し重複しているときはタブ情報を出力するタブ情報出力判定手段３０を設けたものである。図１と同一要素には同一符号を付し重複する説明は省略する。
【００４７】
系統監視盤情報出力編集手段２４は、重複する表示位置に系統監視盤の自己の系統監視盤出力情報及びタブ情報を表示するように編集し、系統監視盤出力手段２５は、操作卓１５からのタブ情報の切り替えにより、他サイトバックアップのための系統監視盤出力情報と自己の系統監視盤出力情報とを切り替えて表示する。
【００４８】
図１６は、第５の実施の形態における系統監視盤出力設定ファイル２２の一例の説明図である。系統監視盤出力設定ファイル２２は、系統監視盤１３への出力要求内容として、表示位置、表示内容、表示優先度、表示要求日時、タブ出力情報を含む表示情報で形成される。
【００４９】
図１７は、第５の実施の形態における系統監視盤出力設定ファイル２２の一例を示す詳細図である。表示情報１は、表示位置が表示位置１であり、タブ出力情報は選択、表示内容はサイト１系統情報、表示優先度は「１」、表示要求日時は「１／６  １０：００：００」である。表示情報２は、表示位置が表示位置２であり、タブ出力情報は無効、表示内容はサイト１システム構成情報、表示優先度は「２０」、表示要求日時は「１／６  １０：００：００」である。表示情報３は、表示位置が表示位置１であり、タブ出力情報は非選択、表示内容はサイト２系統情報、表示優先度は「１」、表示要求日時は「１／６  １１：００：００」である。
【００５０】
この系統監視盤出力設定ファイル２２のうち、表示情報１、２はサイト１に関する表示情報であり、自己の操作卓１５から予め設定された表示情報である。一方、表示情報３はサイト２に関する表示情報であり、相互バックアップ判定手段２１により設定された表示情報である。
【００５１】
図１８は、第５の実施の形態における系統監視盤１３の表示装置への表示イメージ図である。例えば、サイト１の系統監視盤出力設定ファイル２２には、表示情報１「表示位置１、タブ情報（無効）、表示内容（サイト１系統情報）、表示優先度（１）、表示要求日時（１／６  １０：００：００）」、表示情報２「表示位置２、タブ情報（無効）、表示内容（サイト１システム構成情報）、表示優先度（２０）、表示要求日時（１／６  １０：００：００）」が設定されていたとする。そして、サイト２の電力系統監視制御装置１２ｂの計算機が停止し、サイト１にてサイト２のバックアップ運用を実施する場合、サイト１の相互バックアップ判定手段２１は、サイト２のバックアップ開始を判定し、系統監視盤出力設定ファイル２２に表示情報３として、表示情報「表示位置１、タブ情報（非選択）、サイト２系統情報、表示優先度（１）、表示要求日時（１／６  １１：００：００）」を設定する。
【００５２】
系統監視盤情報出力編集手段２４は、表示位置１に優先度が同じ２つの表示内容が設定された場合、タブ情報出力判定手段３０により、「サイト１系統情報」と「サイト２系統情報」とのタブを表示位置１に表示し、先に表示された「サイト１系統情報」のタブ出力情報を「選択」、「サイト２系統情報」のタブ出力情報を「非選択」として表示する機能を提供する。
【００５３】
第５の実施の形態によれば、系統監視盤出力設定ファイル２２の優先度が同一の場合でも、タブにより切り替え可能な系統情報を出力できるため、現在運用中の系統監視盤表示装置に、バックアップ対象の系統を自動表示することができる。
【符号の説明】
【００５４】
１１…ＷＡＮ、１２…電力系統監視制御装置、１３…系統監視盤、１４…計算機、１５…操作卓、１６…ＬＡＮ、１７…データベース、１８…情報伝送手段、１９…系統情報入力手段、２０…系統状態ファイル、２１…相互バックアップ判定手段、２２…系統監視盤出力設定ファイル、２３…系統監視盤出力内容設定手段、２４…系統監視盤情報出力編集手段、２５…系統監視盤出力手段、２６…系統監視盤出力情報量判定手段、２７…系統監視盤事故情報判定手段、２８…事故統計情報ファイル、２９…事故統計手段、３０…タブ情報出力判定手段
【図１】
2011024289.tif 000003
【図２】
2011024289.tif 000004
【図３】
2011024289.tif 000005
【図４】
2011024289.tif 000006
【図５】
2011024289.tif 000007
【図６】
2011024289.tif 000008
【図７】
2011024289.tif 000009
【図８】
2011024289.tif 000010
【図９】
2011024289.tif 000011
【図１０】
2011024289.tif 000012
【図１１】
2011024289.tif 000013
【図１２】
2011024289.tif 000014
【図１３】
2011024289.tif 000015
【図１４】
2011024289.tif 000016
【図１５】
2011024289.tif 000017
【図１６】
2011024289.tif 000018
【図１７】
2011024289.tif 000019
【図１８】
2011024289.tif 000020